(57)【要約】      （修正有）【課題】強度を向上させて好適な打撃感を得ることができる減音ドラムヘッドの強化構造を提供する。【解決手段】減音ドラムヘッドの強化構造は、少なくとも２つの網状体１，２を積層して形成した接合体をヘッド枠５に貼設し、少なくとも２つの網状体１，２の間に接着剤を塗布してローラで加圧して互いに接着一体化させる。【選択図】図４
0003152273.tif 000002
【実用新案登録請求の範囲】
【請求項１】
少なくとも２つの網状体を積層して形成した接合体をヘッド枠に貼設し、
前記少なくとも２つの網状体の間に接着剤を塗布してローラで加圧して互いに接着一体化させることを特徴とする、減音ドラムヘッドの強化構造。
【請求項２】
前記少なくとも２つの網状体は、繊維製網および平織網からなる群から選ばれることを特徴とする、請求項１に記載の減音ドラムヘッドの強化構造。
【請求項３】
前記繊維製網は、織成帯と布線とを交叉して編んだ網状体であることを特徴とする、請求項２に記載の減音ドラムヘッドの強化構造。
【請求項４】
前記繊維製網は、織成帯を交叉して編んだ網状体であることを特徴とする、請求項２に記載の減音ドラムヘッドの強化構造。
【考案の詳細な説明】
【技術分野】
【０００１】
本考案は楽器に係り、特に、減音ドラムヘッドの強化構造に関する。
【背景技術】
【０００２】
ジャズドラムは、ドラマーが聴衆との共感を直接喚起できる人気のある楽器である。ジャズドラムは、ドラマーの演奏技術によって音の良しあしが決定される。そのため、プロのドラマーであれ初心者の学生であれ、演奏技術を向上させるためには、ドラムを用いた練習を継続して行う必要がある。また、練習する際は、ドラムヘッドの打撃感を体感して演奏技術を向上させるために本物のジャズドラムを使用する必要があった。
【０００３】
しかし、本物のジャズドラムを使用した場合、その大きな音により近隣に迷惑をかけてしまうことがあった。特に、集合住宅で練習した場合、耳をつんざくようなドラムの音は、他人にとって騒音に感じることが多かった。この問題を解決する方法の１つとして、防音室を設置して利用してもよいが、この方法では室内空間を大きく占有したり、設置コストが高価になるなどの問題点が存在するため、ドラムの練習で発生する騒音問題を全て解決することはできなかった。この問題に鑑み、あるメーカは、減音ドラムヘッドの構造を開発した。この減音ドラムヘッドは、ドラムヘッドにポリエステルフィルム（ｐｏｌｙｅｓｔｅｒ  ｆｉｌｍ）を用いる従来のジャズドラムのドラムヘッドと異なり、ヘッド枠に網状体が貼設されて構成され、一般のドラムヘッドと同様に、打撃したときに音が発生する。しかし、その音量は、従来のジャズドラムから発する音量よりはるかに小さい上、減音ドラムヘッドは、本物のドラムヘッドを使用するため、ドラマーは、ジャズドラムのドラムヘッドを打撃したときと同様にリアルな打撃感を得ることができる。このように音量を小さくして騒音の発生を防止することができるため、多くのドラマーに使用されている。
【０００４】
図１および図２を参照する。図１および図２に示すように、従来の減音ドラムヘッドのほとんどは、ヘッド枠に複数の網状体が同時に貼設されることにより、複数の網状体が積層されて構成されている。上方の網状体と下方の網状体との間には、隙間が存在するため、従来の減音ドラムヘッドの打撃により、上方の網状体と下方の網状体とが互いにぶつかり合うことが長期に亘り発生して破損し易くなることが実際の使用経験から知られている。さらに、上方の網状体と下方の網状体とが互いにぶつかり合って大きな音が発生するため、ドラムから発生する音量が非常に大きかった。
【０００５】
また、従来の減音ドラムヘッドに使用される網状体は、一般に平織網（ｐｌａｉｎ  ｗｏｖｅｎ  ｎｅｔ）（即ち、図３に示すように布線（ｆａｂｒｉｃ  ｗｉｒｅ）が交叉された構造）であるため、高い弾性を有する。特に、複数の網状体が積層された構造を使用した場合、打撃したときに発生する反発力が大きすぎるために、本物のジャズドラムのドラムヘッドを打撃した場合と打撃感が大きく異なる。つまり、従来の減音ドラムヘッドでは、本物のジャズドラムのドラムヘッドの打撃感をドラマーが体感できないという大きな欠点があった。
【０００６】
また、ピックアップを装着するためにドラムヘッド上に孔を穿設した場合、この孔の部分にバリが発生することがあり、加工上不便であった。
【０００７】
そのため、強度を向上させて好適な打撃感を得ることができる減音ドラムヘッドの強化構造が求められていた。
【考案の概要】
【考案が解決しようとする課題】
【０００８】
本考案は上述の点に鑑みて為されたもので、その目的は、強度を向上させて好適な打撃感を得ることができる減音ドラムヘッドの強化構造を提供することにある。
【課題を解決するための手段】
【０００９】
上記課題を解決するために、本考案の第１の形態によれば、少なくとも２つの網状体を積層して形成した接合体をヘッド枠に貼設し、前記少なくとも２つの網状体の間に接着剤を塗布してローラで加圧して互いに接着一体化させることを特徴とする減音ドラムヘッドの強化構造が提供される。
【００１０】
また、前記少なくとも２つの網状体は、繊維製網（ｋｎｉｔｔｅｄ  ｆａｂｒｉｃ  ｎｅｔ）および平織網（ｐｌａｉｎ  ｗｏｖｅｎ  ｎｅｔ）からなる群から選ばれることが好ましい。
【００１１】
また、前記繊維製網は、織成帯と布線とを交叉して編んだ網状体であることが好ましい。
【００１２】
また、前記繊維製網は、織成帯を交叉して編んだ網状体であることが好ましい。
【考案の効果】
【００１３】
本考案の減音ドラムヘッドの強化構造は、強度を向上させて好適な打撃感を得ることができる。
【図面の簡単な説明】
【００１４】
【図１】従来の減音ドラムヘッドの構造を示す分解斜視図である。
【図２】図１の部分断面図である。
【図３】平織網を示す斜視図である。
【図４】本考案の一実施形態による減音ドラムヘッドの構造を示す分解斜視図である。
【図５】図４の部分断面図である。
【図６】本考案の他の実施形態による減音ドラムヘッドの構造を示す平面図である。
【図７】本考案の他の実施形態による減音ドラムヘッドの構造を示す平面図である。
【図８】本考案の一実施形態による減音ドラムヘッドを実際にドラムへ応用したときの状態を示す斜視図である。
【図９】図８の断面図である。
【図１０】本考案の一実施形態による減音ドラムヘッドを実際にドラムへ応用したときの状態を示す斜視図である。
【図１１】図１０の断面図である。
【考案を実施するための形態】
【００１５】
以下、本考案の実施形態について図に基づいて説明する。なお、これによって本考案が限定されるものではない。
【００１６】
図４を参照する。図４に示すように、本考案の一実施形態による減音ドラムヘッド３は、少なくとも２つの網状体１，２が積層されて構成される。網状体１，２は、それぞれ平織網（ｐｌａｉｎ  ｗｏｖｅｎ  ｎｅｔ）でもよいし、それぞれ繊維製網（ｋｎｉｔｔｅｄ  ｆａｂｒｉｃ  ｎｅｔ）でもよいし、平織網と繊維製網との組み合わせで構成されてもよい。図６および図７を参照する。図６および図７に示すように、繊維製網とは、織成帯（ｗｏｖｅｎ  ｂａｎｄ）と布線（ｆａｂｒｉｃ  ｗｉｒｅ）とを交叉して編んだり、織成帯を交叉して編んだりして構成させてもよい。
【００１７】
図５を参照する。図５に示すように、網状体１と網状体２との間には、接着剤４が塗布され、ローラで加圧して互いに接着一体化させる。網状体１と網状体２との接合体は、ヘッド枠５（図４に示す）に貼設された後、モールド加工される。
【００１８】
本実施形態の減音ドラムヘッド３は、網状体１と網状体２とが密着されているため、打撃により網状体１と網状体２とがぶつかり合って破損したり、大きな音が発生したりすることを防ぐことができる。さらに、減音ドラムヘッドへピックアップコネクタなどの部材を装着するための加工を行ってもバリが発生することを防ぐことができる。
【００１９】
さらに、減音ドラムヘッドの構造を、平織網と繊維製網との組み合わせにより構成した場合、繊維製網が備える低い弾性により良好な打撃感を得ることができるため、従来の減音ドラムヘッドの構造が有する弾性が高すぎる欠点を解決することができる。
【００２０】
図８および図９を参照する。図８は、本考案の一実施形態による減音ドラムヘッド３とピックアップ６との接合方式を示す斜視図である。図９は、図８の断面図である。図８および図９に示すように、本考案の考案者が取得した特許（米国特許第７，２５９，３１７号明細書）が開示したドラムヘッドのピックアップ６および支持台６０の構造に、本実施形態の減音ドラムヘッド３を組み合わせて配置してもよい。減音ドラムヘッド３へ孔を穿設し、そこにピックアップコネクタ７が装着されているため、本体プラグ８を簡便に外付けさせることができる。図１０および図１１を参照する。図１０は、本考案の一実施形態による減音ドラムヘッド３とピックアップ６との他の接合方式を示す斜視図である。図１１は、図１０の断面図である。図１０および図１１に示すように、ピックアップ６および支持台６０は、胴部９に装着されている。ピックアップコネクタ７は、ピックアップ６および支持台６０が装着された位置と異なる箇所で胴部９に装着され、ケーブルを介してピックアップ６と接続されている。
【００２１】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２２】
１        網状体
２        網状体
３        減音ドラムヘッド
４        接着剤
５        ヘッド枠
６        ピックアップ
７        ピックアップコネクタ
８        本体プラグ
９        胴部
６０      支持台
【図１】
0003152273.tif 000003
【図２】
0003152273.tif 000004
【図３】
0003152273.tif 000005
【図４】
0003152273.tif 000006
【図５】
0003152273.tif 000007
【図６】
0003152273.tif 000008
【図７】
0003152273.tif 000009
【図８】
0003152273.tif 000010
【図９】
0003152273.tif 000011
【図１０】
0003152273.tif 000012
【図１１】
0003152273.tif 000013